(57)【要約】      （修正有） 【課題】安全プロテクションブラケットを有し、電極アセンブリを固定すると同時に、外部短絡による事故セルのエネルギー解放により、電池の安全性を保証するリチウムイオン電池を提供する。【解決手段】安全プロテクションブラケットを有するリチウムイオン電池であり、同リチウムイオン電池は、電極アセンブリ１、及び電極アセンブリ１を収容するアルミニウムシェル２を含み、電極アセンブリ１は、正電極片、負電極片と隔膜を含み、正電極片に正電極リードを設置し、負電極片に負電極リードを設置し、電極アセンブリの上部に安全プロテクションブラケット３を設置する。プロテクションブラケット３は、アルミニウムシェル２と電極アセンブリの間にある。アルミニウムシェル２の上に、シェル２自体に固定されるアルミニウムキャップ４を設置する。【選択図】図１
0003188013.tif 000002
【実用新案登録請求の範囲】
【請求項１】
安全プロテクションブラケットを有するリチウムイオン電池であり、電極アセンブリ（１）、電極アセンブリを収容するアルミニウムシェル（２）を含み、前記電極アセンブリ（１）は、正電極片、負電極片と隔膜を含み、前記正電極片に正電極リードを設置し、前記負電極片に負電極リードを設置し、前記電極アセンブリ（１）の上部にプロテクションブラケット（３）を設置し、前記プロテクションブラケット（３）は前記アルミニウムシェル（２）と前記電極アセンブリ（１）の間にあり、前記アルミニウムシェル（２）には前記アルミニウムシェル（２）に固定接続されたアルミニウムキャップ（４）を設置することを特徴とする安全プロテクションブラケットを有するリチウムイオン電池。
【請求項２】
前記アルミニウムキャップ（４）に、前記正電極リードに電気連結をする正電極端子、前記負電極リードに電気連結をする負電極端子（１１）、注入口（４１）と防爆バルブ（４２）を設置することを特徴とする、請求項１記載の、安全プロテクションブラケットを有するリチウムイオン電池。
【請求項３】
前記プロテクションブラケット（３）に銅板（３１）を内蔵し、前記銅板（３１）の電極リードが負電極端子（１１）に電気連結をすることを特徴とする、請求項２記載の、安全プロテクションブラケットを有するリチウムイオン電池。
【請求項４】
前記アルミニウムシェル（２）を前記正電極端子に電気連結をすることを特徴とする、請求項２記載の、安全プロテクションブラケットを有するリチウムイオン電池。
【請求項５】
前記プロテクションブラケット（３）がプラスチック製ブラケットであることを特徴とする、請求項１記載の、安全プロテクションブラケットを有するリチウムイオン電池。
【請求項６】
前記負電極端子（１１）の厚みが0.2mmであることを特徴とする、請求項２記載の、安全プロテクションブラケットを有するリチウムイオン電池。
【請求項７】
前記負電極端子（１１）が前記アルミニウムシェル （2）に伸び、且つ前記負電極端子（１１）にPETパッチ（５）を被せることを特徴とする、請求項２記載の、安全プロテクションブラケットを有するリチウムイオン電池。
【請求項８】
前記PETパッチ（５）の厚みが0.1mmであることを特徴とする、請求項７記載の、安全プロテクションブラケットを有するリチウムイオン電池。
【考案の詳細な説明】
【技術分野】
【０００１】
本考案は、リチウムイオン電池の技術に関し、特に安全プロテクションブラケットを有するリチウムイオン電池に関する。
【背景技術】
【０００２】
従来技術により、リチウムイオン電池が成功裡に開発され、高い稼働容量、高い出力パワー、広い応用温度、低い自己放電率、長い循環寿命、安全性、環境性、汚染無しなどの独特な優位性により、近年、電子設備でより広い応用が得られ、携帯電話等の電子設備の標準配備となっている。
【０００３】
しかし、近年、リチウムイオン電池の不当な使用により、例えば加熱、過充電、過放電、短絡、振動、押し潰しなどにより、発火、爆発ないし人の負傷などが起こっており、リチウムイオン電池の安全性は、より多く注目されている。
【０００４】
リチウムイオン動力電池は、突き破りや押し潰しなどの濫用により、電池内部に短絡が発生し、電池の温度が上がってしまう。一定の温度になって、電池の熱暴走が起こると、発火や爆発の問題を引き起こしてしまう。
【０００５】
【考案の概要】
【考案が解決しようとする課題】
【０００６】
本考案の目的は、従来技術の問題を解消するために、安全プロテクションブラケットを有するリチウムイオン電池を提供し、電極アセンブリを固定すると同時に、外部短絡による事故セルのエネルギー解放により、電池の安全性を保証することである。
【課題を解決するための手段】
【０００７】
上記の課題を解決するために、本考案は、プロテクションブラケットを有するリチウムイオン電池であり、電極アセンブリ、電極アセンブリを収容するアルミニウムシェルを含み、電極アセンブリは、正電極片、負電極片と隔膜を含み、正電極片に正電極リードを設置し、負電極片に負電極リードを設置し、電極アセンブリの上部に安全プロテクションブラケットを設置し、安全プロテクションブラケットは、アルミニウムシェルと電極アセンブリの間にあり、アルミニウムシェルの上に、シェル自体に固定されるアルミニウムキャップを設置することを特徴とする。
【０００８】
リチウムイオン電池にプロテクションブラケットを設置することにより、電極アセンブリを固定する同時に、プロテクションブラケットとリチウムイオン電池が外部短絡を作り、突き破りや押しつぶしなど濫用の場合、事故セルのエネルギーを釈放し、電池の安全性を保証できる。                                                             
【０００９】
本考案は、更に、アルミニウムキャップには、正電極リードに電気連結をする正電極端子、負電極リードに電気連結をする負電極端子、注入口及び防爆バルブを設置することを特徴とする。銅板のリードが負電極端子に電気連結をすることにより、外部短絡を作り、突き破りや押しつぶしなど濫用の場合、事故セルのエネルギーを解放し、電池の安全性を保証する。
【００１０】
本考案は、更に、プロテクションブラケットに銅板を内蔵し、銅板のリードは負電極端子に電気連結をすることを特徴とする。
【００１１】
本考案は、更に、アルミニウムシェルが正電極端子に電気連結をすることを特徴とする。
【００１２】
本考案は、更に、プロテクションブラケットはプラスチックブランケットを使うことを特徴とする。プロテクションブラケットは、プラスチックインジェクション成形品であり、内蔵する銅板が電極アセンブリと通電しないことを保証し、内部の安定性を確保している。
【００１３】
本考案は、更に、負電極端子の厚みが0.2mmであることを特徴とする。
【００１４】
本考案は、更に、負電極端子がアルミニウムシェルに伸び、且つ負電極端子にPETパッチが被ることを特徴とする。負電極端子にPETパッチが被ることにより、外部と隔離させ、負電極端子を守ることができる。
【００１５】
本考案は、更に、PETパッチの厚みが0.1mmであることを特徴とする。
【考案の効果】
【００１６】
以上述べたように、本考案の効果は、ブラケットにプロテクション装置を取り付けることにより、電極アセンブリを固定する同時に、突き破りや押しつぶしなどの濫用の場合、外部短絡による事故セルのエネルギー解放をし、より大きな事故を起こさないようにし、電池の安全性を保証できる。
【図面の簡単な説明】
【００１７】
【図１】本考案の正面図である。
【図２】本考案の右側面図である。
【考案を実施するための形態】
【００１８】
本考案の目的、技術案及び優位性をより明確にさせるために、下記付図を参考にし、更なる詳しい説明をする。
【００１９】
図1及び図2を参照し、プロテクションブラケットを有するリチウムイオン電池は、電極アセンブリ１、電極アセンブリ1を収容するアルミニウムシェル２を含む。電極アセンブリ１は、正電極片、負電極片と隔膜を含む。正電極片に正電極リードを設置し、負電極片に負電極リードを設置し、電極アセンブリ１の上部に安全プロテクションブラケット３を設置する。
【００２０】
プロテクションブラケット３は、アルミニウムシェル２と電極アセンブリ１の間にある。アルミニウムシェル２の上に、シェル２自体に固定されるアルミニウムキャップ４を設置する。
【００２１】
ブラケットに安全プロテクション装置を設置することにより、電極アセンブリ1を固定する同時に、プロテクションブラケット 3とリチウムイオン電池が外部短絡を作り、突き破りや押しつぶしなどの濫用の場合、事故セルのエネルギーを解放し、電池の安全性を保証する。
【００２２】
アルミニウムキャップ４には、正電極リードと電気連結をする正電極端子、負電極リードと電気連結をする負電極端子１１、注入口４１及び防爆バルブ４２を設置する。
【００２３】
安全プロテクションブラケット3には、銅板３１を内蔵し、銅板３１のリードが負電極端子１１と電気連結をする。銅板 31のリードが負電極端子 11と電気連結をし、外部短絡を作り、突き破りや押しつぶしなどの濫用の場合、事故セルのエネルギーを解放し、リチウムイオン電池を守る。
【００２４】
アルミニウムシェル2が正電極端子と電気連結をする。
【００２５】
安全プロテクションブラケット3は、がプラスチック製のブラケットである。安全プロテクションブラケット 3がプラスチックインジェクション品であり、内蔵する銅板 31が電極アセンブリ 1と通電しないことを保証し、内部の安定を確保する。
【００２６】
負電極端子11の厚みは0.2mmである。負電極端子11がアルミニウムシェル2に伸び、且つ負電極端子11にPETパッチ5が被る。PETパッチ 5が負電極端子11に被り、外部と隔離させることにより、負電極端子11を守る。
【００２７】
PETパッチ5の厚みは0.1mmである。
【００２８】
本考案は、電極アセンブリ1の上部に安全プロテクションブラケット3を設置し、安全プロテクションブラケット3がアルミニウムシェル2と電極アセンブリ1の間にあり、電気回路が正常である場合、低電気抵抗の状態にあり、電気回路が正常に働くことを保証する。
【００２９】
電気回路が短絡、或いは電流が異常に大きい場合は、安全プロテクションブラケット3に内蔵する銅板31が負電極端子11と電気連結し外部短絡を作り、自動的に電気抵抗を増やし、電流を必要に応じて小さくし、過電流保護の役割を果たし、電池の電流をコントロールすることにより、電池の安全性と信頼性を向上する。
【００３０】
上記説明の開示により、本考案が属する分野の技術人員が、上述の実施方法を適切に変更と修正をすることもできるので、本考案は、上記開示や説明をした具体的な実施方法に限らず、本考案に対する修正と変更も、本考案の権利の保護範囲内と見なすべきである。また、本明細書に使われている特定の専門用語は、あくまでも説明するために使っている言葉であり、本考案に対し如何なる限定もするものではない。
【図１】
0003188013.tif 000003
【図２】
0003188013.tif 000004